(57)【要約】昇降機監視システムは、昇降機に関する監視表示情報を格納する監視表示情報ファイルを有する。監視表示情報変更受付手段が、クライアントから、上記監視表示情報の変更要求を受け付けると、監視表示情報更新手段が、上記変更要求された監視表示情報を監視表示情報ファイルに更新する。そして、監視表示情報送信要求受付手段が、クライアントから監視表示情報の送信要求を受け付けると、監視表示情報表示手段が、監視表示情報ファイルを参照して、上記送信要求された更新後の監視表示情報をクライアントに表示させる。
2004113217.tif 000002
【特許請求の範囲】
【請求項１】
昇降機に関する監視表示情報を格納する監視表示情報記憶手段と、
前記監視表示情報の変更要求を受け付ける監視表示情報変更受付手段と、
前記変更要求された監視表示情報を前記監視表示情報記憶手段に更新する監視表示情報更新手段と、
前記監視表示情報の送信要求を受け付ける監視表示情報送信要求受付手段と、
前記監視表示情報記憶手段を参照して、前記送信要求された更新後の監視表示情報を外部に表示させる監視表示情報表示手段と
を備えた昇降機監視システム。
【請求項２】
前記監視表示情報記憶手段は、複数の言語の別に表現された前記監視表示情報を各言語毎に格納し、
前記昇降機監視システムの起動時、前記複数の言語のうち特定の言語で表現された前記監視表示情報を選択する言語選択手段を備え、
前記監視表示情報表示手段は、
前記言語選択手段が選択した言語で表現された前記監視表示情報を前記外部に表示させる請求項１記載の昇降機監視システム。
【請求項３】
昇降機に関する運行制御指令を格納する運行制御指令記憶手段と、
前記昇降機、及び前記昇降機を制御する昇降機用制御装置の対応付けを格納する昇降機管理形態記憶手段と、
前記昇降機に関する運行制御要求を受け付ける運行制御要求受付手段と、
前記運行制御要求された運行制御指令を前記運行制御指令記憶手段を参照して特定するとともに、前記運行制御要求された昇降機を制御する昇降機用制御装置を前記昇降機管理形態記憶手段を参照して特定する運行制御要求特定手段と、
前記運行制御要求特定手段が特定した運行制御指令に従って前記運行制御要求された昇降機を制御させるために、当該運行制御要求された昇降機に関する当該運行制御指令を、前記運行制御要求特定手段が特定した昇降機用制御装置へ出力する運行制御指令出力手段と
を備えた昇降機監視システム。
【請求項４】
監視表示情報変更受付手段に、前記監視表示情報の変更要求を受け付けるステップと、
監視表示情報更新手段に、前記変更要求された監視表示情報を前記監視表示情報記憶手段に更新するステップと、
監視表示情報送信要求受付手段に、前記監視表示情報の送信要求を受け付けるステップと、
監視表示情報表示手段に、前記昇降機に関する監視表示情報を格納する監視表示情報記憶手段を参照して、前記送信要求された更新後の監視表示情報を外部に表示させるステップと
を実行させるための昇降機監視プログラムを記録したコンピュータ読み取り可能な記録媒体。
【請求項５】
前記監視表示情報記憶手段は、複数の言語の別に表現された前記監視表示情報を各言語毎に格納し、
言語選択手段に、前記昇降機監視システムの起動時、前記複数の言語のうち特定の言語で表現された前記監視表示情報を選択するステップを実行させ、
前記監視表示情報表示手段に、
前記言語選択手段が選択した言語で表現された前記監視表示情報を前記外部に表示させるステップを実行させるための請求項４記載の昇降機監視プログラムを記録したコンピュータ読み取り可能な記録媒体。
【請求項６】
運行制御要求受付手段に、昇降機に関する運行制御要求を受け付けるステップと、
運行制御要求特定手段に、前記昇降機に関する運行制御指令を格納する運行制御指令記憶手段を参照して、前記運行制御要求された運行制御指令を特定するとともに、前記昇降機、及び前記昇降機を制御する昇降機用制御装置の対応付けを格納する昇降機管理形態記憶手段を参照して、前記運行制御要求された昇降機を制御する昇降機用制御装置を特定するステップと、
運行制御指令出力手段に、前記運行制御要求特定手段が特定した運行制御指令に従って前記運行制御要求された昇降機を制御させるために、当該運行制御要求された昇降機に関する当該運行制御指令を、前記運行制御要求特定手段が特定した昇降機用制御装置へ出力するステップと
を実行させるための昇降機監視プログラムを記録したコンピュータ読み取り可能な記録媒体。
【発明の詳細な説明】
【技術分野】  本発明は、エレベーター等の昇降機を監視する昇降機監視システム、及びそれを動作させるための昇降機監視プログラムを記録したコンピュータ読み取り可能な記録媒体に関する。
【背景技術】  従来の遠隔制御システムは、例えば特開２００２−１１４４５６号公報に記載されているように、制御対象となるエレベーターの運転状況を携帯情報端末に表示させる。しかしながら、従来の遠隔制御システムは、上記運転状況に関する表示内容を使用者の要望に応じて変更することができず、使用者の要望に応じた監視サービスが行えないという不都合があった。
本発明は、上述のような不都合を解決するためになされたもので、その目的は、使用者の要望に応じた昇降機の監視サービスを行うことができる昇降機監視システム、及びそれを動作させるための昇降機監視プログラムを記録したコンピュータ読み取り可能な記録媒体を得るものである。
【発明の開示】
本発明に係る昇降機監視システムは、昇降機に関する監視表示情報を格納する監視表示情報記憶手段と、上記監視表示情報の変更要求を受け付ける監視表示情報変更受付手段とを有する。また、この昇降機監視システムは、上記変更要求された監視表示情報を監視表示情報記憶手段に更新する監視表示情報更新手段と、監視表示情報の送信要求を受け付ける監視表示情報送信要求受付手段とを有する。さらに、この昇降機監視システムは、監視表示情報記憶手段を参照して、上記送信要求された更新後の監視表示情報を外部に表示させる監視表示情報表示手段を有する。
また、本発明に係る昇降機監視システムは、昇降機に関する運行制御指令を格納する運行制御指令記憶手段と、昇降機、及び昇降機を制御する昇降機用制御装置の対応付けを格納する昇降機管理形態記憶手段とを有する。また、この昇降機監視システムは、昇降機に関する運行制御要求を受け付ける運行制御要求受付手段と、上記運行制御要求された運行制御指令を運行制御指令記憶手段を参照して特定するとともに、上記運行制御要求された昇降機を制御する昇降機用制御装置を昇降機管理形態記憶手段を参照して特定する運行制御要求特定手段とを有する。さらに、この昇降機監視システムは、運行制御要求特定手段が特定した運行制御指令に従って上記運行制御要求された昇降機を制御させるために、当該運行制御要求された昇降機に関する当該運行制御指令を、運行制御要求特定手段が特定した昇降機用制御装置へ出力する運行制御指令出力手段を有する。
また、本発明に係るコンピュータ読み取り可能な記録媒体は、昇降機監視プログラムを記録する。この昇降機監視プログラムは、監視表示情報変更受付手段に、監視表示情報の変更要求を受け付けるステップと、監視表示情報更新手段に、上記変更要求された監視表示情報を監視表示情報記憶手段に更新するステップとを実行させる。また、この昇降機監視プログラムは、監視表示情報送信要求受付手段に、監視表示情報の送信要求を受け付けるステップと、監視表示情報表示手段に、昇降機に関する監視表示情報を格納する監視表示情報記憶手段を参照して、上記送信要求された更新後の監視表示情報を外部に表示させるステップとを実行させる。
また、本発明に係るコンピュータ読み取り可能な記録媒体は、昇降機監視プログラムを記録する。この昇降機監視プログラムは、運行制御要求受付手段に、昇降機に関する運行制御要求を受け付けるステップを実行させる。また、この昇降機監視プログラムは、運行制御要求特定手段に、昇降機に関する運行制御指令を格納する運行制御指令記憶手段を参照して、上記運行制御要求された運行制御指令を特定するとともに、昇降機、及び昇降機を制御する昇降機用制御装置の対応付けを格納する昇降機管理形態記憶手段を参照して、上記運行制御要求された昇降機を制御する昇降機用制御装置を特定するステップを実行させる。さらに、昇降機監視プログラムは、運行制御指令出力手段に、運行制御要求特定手段が特定した運行制御指令に従って上記運行制御要求された昇降機を制御させるために、当該運行制御要求された昇降機に関する当該運行制御指令を、運行制御要求特定手段が特定した昇降機用制御装置へ出力するステップを実行させる。
【図面の簡単な説明】  図１は、この発明の実施の形態に係る昇降機監視システムの全体構成を示す図である。
図２は、図１に示した監視表示情報ファイルのデータ構造を示す図である。
図３は、図１に示した言語別監視表示情報ファイルのデータ構造を示す図である。
図４は、図１に示したエレベーター管理形態ファイルのデータ構造を示す図である。
図５は、図１に示したエスカレーター管理形態ファイルのデータ構造を示す図である。
図６は、昇降機監視システムの動作であって監視表示情報をクライアントに表示させる動作を示すフローチャートである。
図７は、昇降機監視システムの動作であって運行制御指令をエレベーター制御装置に出力する動作を示すフローチャートである。
【発明を実施するための最良の形態】実施の形態．
図１は、この発明の実施の形態に係る昇降機監視システムの全体構成を示す図である。ここでは、昇降機監視システムがビル施設内に設置された昇降機を監視する場合を例にして説明する。
図１において、昇降機監視システム１は、通信ネットワーク２を介してクライアント（外部）３と接続されている。通信ネットワーク２は、例えば、ＬＡＮ（Ｌｏｃａｌ  Ａｒｅａ  Ｎｅｔｗｏｒｋ）である。また、この昇降機監視システム１は、通信ネットワーク２を介して、複数のエレベーター制御装置４、及びエスカレーター制御装置５（これらを「昇降機用制御装置」と総称する。）とそれぞれ接続されている。各エレベーター制御装置４は、自己の管理下のエレベーター４１をそれぞれ制御する。また、エスカレーター制御装置５は、自己の管理下のエスカレーター５１を制御する。
昇降機監視システム１は、メモリ１１及びＣＰＵ１２を有する。そして、ＣＰＵ１２が、入力装置１３及び表示装置（外部）１４とそれぞれ接続されている。例えば、パソコンサーバが昇降機監視システム１に用いられる。入力装置１３は、例えば、マウス、キーボードである。表示装置１４は、例えばコンピューターディスプレイである。
メモリ１１には、監視表示情報ファイル（監視表示情報記憶手段）１１１、及び言語別監視表示情報ファイル（言語別監視表示情報記憶手段）１１２が格納されている。また、このメモリ１１には、エレベーター管理形態ファイル１１３及びエスカレーター管理形態ファイル１１４（これら管理形態ファイルを「昇降機管理形態記憶手段」という。）が格納されている。さらに、このメモリ１１には、運行制御指令ファイル１１５、及び昇降機監視プログラムファイル１１６が格納されている。これらのファイルについて以下に説明する。
監視表示情報ファイル１１１は、昇降機に関する監視表示情報を格納している。この監視表示情報ファイル１１１のデータ構造を図２に示す。図２によると、昇降機（エレベーター４１及びエスカレーター５１）に関する監視表示情報が号機番号毎（昇降機毎）に監視表示情報ファイル１１１に格納されている。この監視表示情報には、昇降機の運転状況、監視状態などの情報が含まれる。例えば、号機名称、バンク名、エレベーターの停止階床、エスカレーターの出発階、運転中、かご位置、運転方向などの各情報が監視表示情報に含まれる。
言語別監視表示情報ファイル（監視表示情報記憶手段）１１２は、複数の言語の別に表現された監視表示情報を各言語毎に格納している。この言語別監視表示情報ファイル１１２のデータ構造を図３に示す。図３によると、火災時管制運転を表す「ＦＥＲ」などの監視表示情報が日本語又は英語の各言語別に言語別監視表示情報ファイル１１２に格納されている。なお、上記監視表示情報は、例えば、Ｕｎｉｃｏｄｅ（ユニコード）で記述されている。上記監視表示情報と各言語との対応付けは、例えばポインタを用いて行われる。
エレベーター管理形態ファイル１１３は、エレベーター４、及びエレベーター制御装置４１の対応付けを格納している。この対応付けは、エレベーター４１の号機番号、及びエレベーター制御装置名を用いて行われる。エレベーター管理形態ファイル１１３のデータ構造を図４に示す。図４によると、バンク番号、バンク名称、ＩＰアドレス（エレベーター制御装置４の宛先）、号機番号、号機名称（Ｃ１４等）、停止階床（例えばＳＦ１等）等の各種情報がエレベーター制御装置名毎に相互に関連付けられている。
エスカレーター管理形態ファイル１１４は、エスカレーター５、及びエスカレーター制御装置５１の対応付けを格納している。この対応付けは、エスカレーター５１の号機番号（例えば２０）、及びエスカレーター制御装置名を用いて行われる。エレベーター管理形態ファイル１１４のデータ構造を図５に示す。図５によると、ＩＰアドレス（エスカレーター制御装置５の宛先）、号機番号、号機名称、出発・到着階の各種情報がエスカレーター制御装置名に関連付けられている。
運行制御指令ファイル１１５は、運行制御内容に応じた運行制御指令（コマンド）を格納している。運行制御内容としては、通常運転、運転停止、運転休止、非停止階の設定、火災時運転、地震時運転などの種類がある。
昇降機監視プログラムファイル１１６は、昇降機監視システム１を動作させるための昇降機監視プログラムを格納している。この昇降機監視プログラムは、ＣＤ−ＲＯＭ等の記録媒体から読み込まれたものである。ただし、昇降機監視プログラムが、予め、昇降機監視プログラムファイル１１６に格納されていてもよい。
図１に戻って説明する。ＣＰＵ１２は、昇降機監視システム１の全体的な制御を行うものであり、次のような手段を有する。すなわち、ＣＰＵ１２は、監視表示情報変更受付手段１２１、監視表示情報更新手段１２２、及び監視表示情報送信要求受付手段１２３を有する。また、このＣＰＵ１２は、監視表示情報表示手段１２４及び言語選択手段１２５を有する。さらに、このＣＰＵ１２は、運行制御要求受付手段１２６、運行制御要求特定手段１２７、及び運行制御指令出力手段１２８を有する。なお、これら各手段の機能については後述する（図６、７参照）。
クライアント３は、ブラウザを搭載した端末であり、例えばパソコンがこれに用いられる。
つぎに、上記昇降機監視システム１の動作について説明する。なお、昇降機監視システム１は、昇降機監視プログラムファイル１１６の昇降機監視プログラムに従って、下記の処理を行う。
［監視表示情報の表示処理］
図６は、昇降機監視システム１の動作であって監視表示情報をクライアント３に表示させる動作を示すフローチャートである。
まず、操作者が、クライアント３を操作して、昇降機監視システム１へのＨＴＴＰ（Ｈｙｐｅｒ  Ｔｅｘｔ  Ｔｒａｎｓｆｅｒ  Ｐｒｏｔｏｃｏｌ）接続を確立した後、昇降機監視システム１に対して、監視表示情報の変更要求を行う。この変更要求は、例えば、特定のエレベーター４１についての号機名称の変更要求であり、この変更要求の際、チェックボックス等の入力方式が用いられる。すると、昇降機監視システム１では、監視表示情報変更受付手段１２１が、クライント３から、上記監視表示情報の変更要求を通信ネットワーク２を介して受け付ける（ステップ１００）。
続いて、監視表示情報更新手段１２２は、上記変更要求された監視表示情報を監視表示情報ファイル１１１に更新する（ステップ１０１）。これにより、操作者は、特定のエレベーター４１についての号機名称等の監視表示情報を自己の要望に応じて自在に変更することができる。
その後、操作者が、クライアント３を操作して、昇降機監視システム１へのＨＴＴＰ接続を確立した後、昇降機監視システム１に対して、監視表示情報の送信要求を行う。この送信要求の際、送信ボタン等の入力方式が用いられる。すると、昇降機監視システム１では、監視表示情報送信手段１２３が、クライアント３から、上記監視表示情報の送信要求を受け付ける（ステップ１０２）。
当該送信要求を受けて、監視表示情報表示手段１２４は、監視表示情報ファイル１１１を参照して、上記送信要求された更新後の監視表示情報を、通信ネットワーク２を介して、クライアント（外部）３へ送信する（ステップ１０３）。すると、クライアント３は、上記変更後の監視表示情報を表示画面上に表示することとなる。
これにより、操作者は、変更後の監視表示情報を確認しながら昇降機を監視することができる。したがって、操作者（使用者）の要望に応じて、エレベーター等の昇降機の監視サービスを行うことが可能となる。
［表示言語の選択処理］
ここで、昇降機監視システム１の起動時、言語選択手段１２５が、メモリ１１から読み出した言語設定情報（例えば、設定コード）に基づいて、複数の言語（例えば、日本語、英語）のうち、特定の言語（例えば、英語）で表現された監視表示情報を言語別監視表示情報ファイル１１２の中から選択する。
この場合、監視表示情報表示手段１２５は、言語別監視表示情報ファイル１１２を参照して、特定の言語（例えば、英語）で表現された監視表示情報をクライアント３に表示させる。これにより、昇降機監視システム１の出荷国に対応した言語表示を行うことが可能になる。
［運行制御指令の出力処理］
図７は、昇降機監視システム１の動作であって運行制御指令を昇降機用制御装置に出力する動作を示すフローチャートである。ここでは、エレベーター４１に関する運行制御指令の場合を主に説明するが、エスカレーター５１に関する運行制御指令であっても同様である。
まず、操作者が、クライアント３を操作して、昇降機監視システム１へのＨＴＴＰ接続を確立した後、昇降機監視システム１に対して、昇降機に関する運行制御要求を行う。この運行制御要求は、例えば、特定のエレベーター４１の停止要求であり、この停止要求の際、チェックボックス等の入力方式が用いられる。すると、昇降機監視システム１では、運行制御要求受付手段１２６が、クライント３から、上記昇降機に関する運行制御要求を通信ネットワーク２を介して受け付ける（ステップ２００）。
上記運行制御要求を受けて、運行制御要求特定手段１２７は、運行制御指令ファイル１１５を参照して、当該運行制御要求された運行制御指令を特定する（ステップ２０１）。また、この運行制御要求特定手段１２７は、昇降機管理形態ファイル（例えば、エレベーター管理形態ファイル１１３）を参照して、出力先となる昇降機用制御装置（例えば、エレベーター制御装置４）を特定する。特定された昇降機用制御装置は、当該運行制御要求された昇降機（エレベーター４１）を制御するものである。上記昇降機用制御装置の特定に際し、運行制御要求特定手段１２７は、例えば、出力先であるエレベーター制御装置４１のエレベーター制御装置名を特定する。
そして、運行制御指令出力手段１２８は、上記運行制御要求されたエレベーター４１に関する運行制御指令を、通信ネットワーク２を介して、運行制御要求特定手段１２７が特定した昇降機用制御装置（エレベーター制御装置４）へ出力する（ステップ２０３）。この出力に際し、運行制御指令出力手段１２８は、エレベーター管理形態ファイル１１３から読み出したエレベーター制御装置４についてのＩＰアドレス宛に運行制御指令を出力する。
昇降機監視システム１から運行制御指令を受信したエレベーター制御装置４は、当該運行制御指令に従って運行制御要求されたエレベーター４１を制御して、例えば、そのエレベーター４１を停止させる。
これにより、操作者は、自己の要望に応じて、エレベーター４１等の昇降機についての運転制御を実行させることができる。したがって、操作者（使用者）の要望に応じて、エレベーター等の昇降機の監視サービスを行うことが可能となる。
本発明は、上記実施の形態に限られない。上記実施の形態におけるシステム形態は、クライアント・サーバ型の場合で説明したが、これに限られない。システム形態は、例えばスタンドアローン型としてもよい。この場合、昇降機監視システム１は、情報を受け付けるに際し、入力装置１３を通じて受け付ける（上記ステップ１００、１０２、２００）。また、昇降機監視システム１は、情報を出力するに際し、表示装置１４へ出力する（上記ステップ１０３、２０３）。
また、昇降機監視システム１と昇降機用制御装置とは、それぞれ単体の装置の場合で説明したが、昇降機監視システム１を昇降機用制御装置に組み込んでもよい。
さらに、昇降機監視システム１は、単一のＣＰＵ１２を用いて処理する場合で説明したが、昇降機監視システム１は、複数のＣＰＵ１２を用いて分散処理を行うようにしてもよい。昇降機監視システム１のメモリ１１も物理的に複数のメモリを用いて構成してもよい。
以上説明した変形例の場合においても上記実施の形態と同様の効果を得ることができる。
【図１】
2004113217.tif 000003
【図２】
2004113217.tif 000004
【図３】
2004113217.tif 000005
【図４】
2004113217.tif 000006
【図５】
2004113217.tif 000007
【図６】
2004113217.tif 000008
【図７】
2004113217.tif 000009
【国際調査報告】
2004113217.tif 000010
2004113217.tif 000011
2004113217.tif 000012
2004113217.tif 000013